(57)【要約】【課題】建設機械のリザーバタンクにおいて、簡便な液量点検作業と容易な液量補充作業及び自由な設置位置を実現する建設機械のリザーバタンクを提供することを目的としている。【解決手段】リザーバタンク本体１８を車体６に可動ブラケット１１，４１を介して移動自在に取着した。また、前記可動ブラケット１１，４１にリザーバタンク本体１８の液量点検用の点検窓２１ｂを配設した。また、前記可動ブラケット１１，４１にリザーバタンク本体１８の液量点検用の点検蓋２２を配設した。【選択図】        図９
2004190231.tif 000002
【特許請求の範囲】
【請求項１】
建設機械のリザーバタンクにおいて、
リザーバタンク本体（１８）を車体（６）に可動ブラケット（１１，４１）を介して移動自在に取着した
ことを特徴とする、建設機械のリザーバタンク。
【請求項２】
請求項１記載の建設機械のリザーバタンクにおいて、
前記可動ブラケット（１１，４１）にリザーバタンク本体（１８）の液量点検用の点検窓（２１ｂ）を配設した
ことを特徴とする、建設機械のリザーバタンク。
【請求項３】
請求項１記載の建設機械のリザーバタンクにおいて、
前記可動ブラケット（１１，４１）にリザーバタンク本体（１８）の液量点検用の点検蓋（２２）を配設した
ことを特徴とする、建設機械のリザーバタンク。
【発明の詳細な説明】
【０００１】
【発明の属する技術分野】
本発明は、車両のリザーバタンクに関する。
【０００２】
【従来の技術】
油圧ショベル等の建設機械には一般的に、ブレーキ液のリザーバタンク、窓ガラス用洗浄液のリザーバタンク及び冷却液のリザーバタンク等大小のリザーバタンクが配設されて、且つ夫々の液量点検と補充を行うことができるように工夫がなされている。
しかしながら、それらリザーバタンクの各液量点検は通常、日常点検項目又は定期点検項目とされており、それによって、オペレータの負担が増大している。
【０００３】
なお上記において、説明を簡潔にするために、リザーバタンクと言うときは、リザーバタンクと同リザーバタンクを車体に取着する部材及び／または装置とを総称するものとし、リザーバタンクのみを指すときにはリザーバタンク本体と称して区別するものとして、以下においても同様とする。
【０００４】
上記の問題を解決するための各種工夫を施した建設機械のリザーバタンクが考えられており、例えば特許文献１には、建設機械のエンジンルームの点検ドア内面にリザーバタンクを取着して、点検ドアを開けることによってリザーバタンクがエンジンルームの外方へ突出して、それによって、液量の点検と補充の作業をを容易にすることを図った建設機械のリザーバタンクの構造が記載されている。
【０００５】
図２０により、上記特許文献１に記載された構造を例にして従来技術による建設機械のリザーバタンクを説明する。
図２０は従来技術による建設機械のリザーバタンクを適用した油圧ショベルの要部斜視図である。
【０００６】
図２０において、図示しない油圧ショベルの上部旋回体の旋回フレーム６４上面左寄りに配設された運転室６５の後側に隣接して、カウンタウエイト６６とエンジンカバー７４でエンジンルームが構成されており、同カウンタウエイト６６とエンジンカバー７４夫々の切りこみ部６６Ａと７４Ｂで点検口が形成され、同点検口を開閉自在に塞ぐための点検用ドア７６が蝶番７７で外装カバー７３の支柱７８に取着されている。更に、同点検用ドア７６の内側面に、図示しないブラケットを介して窓ガラス用洗浄液のリザーバタンク８３が取着され、同リザーバタンク８３の上部には液補充口のキャップ８４が配設されている。
【０００７】
図２０による上記構成において、エンジンカバー７４内部の図示しないエンジン等の機器の点検に際して点検用ドア７６を開けると、洗浄液のリザーバタンク８３が車体の外方へ突出するから、洗浄液の液量点検が容易であるばかりでなく、キャップ８４を外して行う洗浄液の補充作業も容易であり、且つ洗浄液をこぼしても周辺機器を汚すことが無いとしている。また、洗浄液のリザーバタンク８３が車体の外方へ突出することによってエンジンカバー７４内部の空隙が広くなり、それによって、同内部の点検が容易になるとしている。更に、上記の構成は、ブレーキ液、冷却液等の他のリザーバタンクに適用できるとしている。
【０００８】
【特許文献１】
特開２００２−１３１６１号公報（第３頁、第３図）
【０００９】
【発明が解決しようとする課題】
しかしながら、上記のリザーバタンク８３が点検用ドア７６の内側面に取着されていることによって上記利点と共に、次の問題が生じる。
（１）日常点検の都度に開閉を行う点検用ドア７６に、比較的質量の大きいリザーバタンクを配設しているので、点検用ドア７６の開閉を軽快に行うことができない。特に傾斜地においては、同点検用ドア７６を開いた状態での保持機構が必要となり、それによって点検用ドア７６の構造が複雑になる。
（２）リザーバタンクの液量点検は通常毎日行うが、実際に液量補充を必要とする頻度は高くない。にもかかわらず点検の都度、上記（１）に述べた動作が必要であり、それによって、点検作業の負担が必ずしも軽減されない。
【００１０】
（３）上記（１）、（２）の理由によって、エンジン冷却液のリザーバタンク等質量の大きいリザーバタンクには適用しにくい。
（４）リザーバタンクを点検用ドアに取着するためには、リザーバタンクはその機能に由来する最適位置から離れた位置、前記の例では運転室６５の前窓から離れた運転室後側のエンジンルームの点検用ドア７６、に設置しなければならず、それによって長い配管が必要となり、コストアップの要因となる。
【００１１】
本発明は、上記の問題点に着目してなされたものであり、建設機械のリザーバタンクにおいて、簡便な液量点検作業と容易な液量補充作業及び自由な設置位置を実現する建設機械のリザーバタンクを提供することを目的としている。
【００１２】
【課題を解決するための手段、作用及び効果】
上記の目的を達成するために、第１発明は、建設機械のリザーバタンクにおいて、リザーバタンク本体を車体に可動ブラケットを介して移動自在に取着している。
【００１３】
第１発明によると、次の作用及び効果を得ることができる。
（１）リザーバタンク本体を動かすことなく液量点検を可能とし、液量補充が必要な際にのみ、可動ブラケットによってリザーバタンク本体を車体の外方へ突出させて液量の補充作業の容易化を実現することができる。
（２）リザーバタンク本体の質量に応じて可動ブラケットの強度を設定することができるから、質量の大きいリザーバタンクにおいても容易に実施可能である。
（３）リザーバタンク本体と可動ブラケットをセットにして、車体の任意の位置に設置可能であり、これによって、リザーバタンクの機能に由来する最適位置に設置可能となる。
【００１４】
第２発明は、第１発明による建設機械のリザーバタンクにおいて、前記可動ブラケットにリザーバタンク本体の液量点検用の点検窓を配設している。
【００１５】
第２発明によると、前記第１発明における作用及び効果に加えて、次の作用及び効果を得ることができる。
（１）可動ブラケットの一部の面を、車体又は外装カバーの外表面に揃えて、且つ同一部の面に上記点検窓を配設することによって、建設機械の外観を良好に保つことができる。
（２）上記（１）によって、車体に手を触れることなく、液量の点検をおこなうことができる。
（３）上記（１）によって、リザーバタンク本体の液量補充が必要な時にのみ、且つワンアクションで、可動ブラケットを動かしてリザーバタンク本体を車体の外方に突出させることが可能となる。
【００１６】
第３発明は、第１発明による建設機械のリザーバタンクにおいて、前記可動ブラケットにリザーバタンク本体の液量点検用の点検蓋を配設している。
【００１７】
第３発明によると、前記第１発明における作用及び効果に加えて、次の作用及び効果を得ることが出来る。
（１）可動ブラケットに配設した上記点検蓋の外表面を、車体又は外装カバーの外表面に揃えることによって、建設機械の外観を良好に保つことができる。
（２）上記点検蓋は、リザーバタンク本体の液量を見るためにのみ開けるから、小さくて且つバネ等によって閉まり勝手にして良く、それによって、構造を簡単にすることができると共に、指先で点検蓋を開けるだけで、リザーバタンク本体の液量点検を行うことができる。
（３）リザーバタンク本体の液量補充が必要な時にのみ、且つワンアクションで、点検蓋を含む可動ブラケットを動かしてリザーバタンク本体を車体の外方に突出させることが可能となる。
【００１８】
以上の結果によって、建設機械のリザーバタンクにおいて、簡便な液量点検作業と容易な液量補充作業及び自由な設置位置を実現する建設機械のリザーバタンクを提供することができる。
【００１９】
【発明の実施の形態】
以下に油圧ショベルを例にして、本願発明に係る建設機械のリザーバタンクの実施形態について、図１〜図１９を参照して詳述する。
【００２０】
先ず図１〜図４により、第１実施形態の説明をする。
図１は本発明による建設機械のリザーバタンクを適用した油圧ショベルの側面図、図２は本発明による建設機械のリザーバタンクに係る第１実施形態の正面図であり、図１のＰ部詳細図、図３は同第１実施形態の下面図であり、図２のＱ１視図、図４は同第１実施形態の要部部分断面側面図であり、図３のＭ１−Ｍ１断面図である。
【００２１】
図１において、油圧ショベル１はタイヤ車輪を有する下部走行体２と、作業機４及び運転室５を有する上部旋回体３とで構成されており、上部旋回体の側面の点検容易な箇所Ｐ部に、運転室５の図示しない前窓ガラス用の洗浄液のリザーバタンク（以下、単にリザーバタンクと言う。）１０Ａ，１０Ｂ，１０Ｃ，１０Ｄ，１０Ｅ，４０Ａ，４０Ｂ，４０Ｃ，４０Ｄの何れか１つが配設されている。
【００２２】
図２〜図４において、上部旋回体３の旋回フレーム６の外周を覆うフレームカバー７に切り欠き部７ａが設けられ、同切り欠き部７ａには開閉蓋８が、トルクバネ８ｃを有する蝶番８ａ，８ｂとボルト８ｄによって取着されており、同開閉蓋８の内方に、リザーバタンク１０Ａが配設されている
【００２３】
リザーバタンク１０Ａは、旋回フレーム６に溶接１２ａで取着されたピン１２に、可動ブラケット１１のボス部１１ａがワッシャ１２ｂとナット１２ｃによって回動自在に係止されると共に、同可動ブラケット１１のガイド穴１１ｂに挿通してガイドブッシュ１３とボルト１４が取着され、これによって、可動ブラケット１１が図示の収納状態の位置（以下、単に収納位置と言う。）から、２点鎖線で示す矢印Ｔの位置（以下、単に引出し位置と言う。）までの範囲で回動するように略水平面内で回動可能に回動範囲が設定され、更に、旋回フレーム６に取着されたピン１５と可動ブラケット１１に取着されたピン１６相互の間にトグルバネ１７が取着されており、これらによって、収納位置又は引出し位置の選択された位置で固定されるようになされた可動ブラケット１１に、リザーバタンク本体１８が帯鋼１９を介してネジ１９ａで取着されて構成されている。なお、可動ブラケット１１には引出し用の取っ手部１１ｄが配設されており、また、リザーバタンク本体１８上部中央に液量補充口のキャップ１８ａが取着されている。
【００２４】
図１〜図４による上記構成において、次の作用及び効果を得ることができる。
（１）日常点検時には指先で開閉蓋８を矢印Ｓ１（図３）の位置まで半開きにするだけで、リザーバタンク本体１８の液量の点検が可能であり、液量補充が必要な際にのみ、開閉蓋８を矢印Ｓ２（図３）の位置まで開いて、取っ手部１１ｄを外方へ引いて可動ブラケット１１を引出し位置Ｔまで引出せば、リザーバタンク本体１８のキャップ１８ａがフレームカバー７の外面よりも突出するから、液量の補充作業を容易に行うことができる。
【００２５】
（２）リザーバタンク本体１８の質量に応じて可動ブラケット１１の強度を設定することができるから、上記の窓ガラス洗浄液のリザーバタンク本体１８に限ることなく、質量の大きいリザーバタンクにおいても容易に実施可能である。
（３）上記のリザーバタンク１０Ａは車体の任意の位置に設置可能であり、これによって、リザーバタンクの機能に由来する最適位置に設置可能となる。
【００２６】
なお、上記の構成において、開閉蓋８を省いて良いし、開閉蓋８の内方にリザーバタンク１０Ａ以外の機器の点検箇所を配設して良い。
【００２７】
次に図５〜図７により、第２実施形態の説明をする。
図５は本発明による建設機械のリザーバタンクに係る第２実施形態の正面図であり、図１のＰ部詳細図、図６は同第２実施形態の下面図であり、図５のＱ２視図、図７は同第２実施形態の要部部分断面側面図であり、図６のＭ２−Ｍ２断面図である。なお、図１〜図４と同一の構成要素には同一の符号を付して以下での説明を省略する。
【００２８】
図５〜図７において、上部旋回体３の旋回フレーム６の外周を覆うフレームカバー７に切り欠き部７ａが設けられ、同切り欠き部７ａにリザーバタンク１０Ｂが配設されている。
リザーバタンク１０Ｂは可動ブラケット１１の前端部に、点検窓２１ｂを有するプレート２１を溶接２１ａによって取着して構成されており、同プレート２１の外表面はフレームカバー７の外表面に揃えられている。
【００２９】
図５〜図７による上記構成において、前記第１実施形態における作用及び効果に加えて、次の作用及び効果を得ることができる。
（１）プレート２１によって、油圧ショベルの外観を良好に保つことができる。
（２）プレート２１の点検窓２１ｂによって、車体に手を触れることなく、リザーバタンク本体１８の液量の点検を行うことができる。
（３）リザーバタンク本体１８の液量補充が必要な時にのみ、プレート２１の下端部を外方へ引くだけのワンアクションで、リザーバタンク本体１８を車体の外方に突出させることが可能であり、これによって、液量の補充作業を容易に行うことができる。
【００３０】
次に図８〜図１０により、第３実施形態の説明をする。
図８は本発明による建設機械のリザーバタンクに係る第３実施形態の正面図であり、図１のＰ部詳細図、図９は同第３実施形態の下面図であり、図８のＱ３視図、図１０は同第３実施形態の要部部分断面側面図であり、図９のＭ３−Ｍ３断面図である。なお、図１〜図７と同一の構成要素には同一の符号を付して以下での説明を省略する。
【００３１】
図８〜図１０において、上部旋回体３の旋回フレーム６の外周を覆うフレームカバー７に切り欠き部７ａが設けられ、同切り欠き部７ａにリザーバタンク１０Ｃが配設されている。
リザーバタンク１０Ｃは、可動ブラケット１１の前端部に溶接２３ａで取着されたピン２３にトルクバネ２４と、プレート２２ａを介してボス２２ｂを取着した点検蓋２２の同ボス２２ｂとを夫々挿通し、ワッシャ２３ｂとナット２３ｃで係止して、これによって、可動ブラケット１１に点検蓋２２を開閉自在で且つ閉まり勝手に取着して構成されている。なお、同点検蓋２２の外表面はフレームカバー７の外表面に揃えられている。
【００３２】
図８〜図１０による上記構成において、前記第１実施形態における作用及び効果に加えて、次の作用及び効果を得ることができる。
（１）点検蓋２２によって、油圧ショベル１の外観を良好に保つことができる。
（２）点検蓋２２の下端部Ｘ位置を指で外方に引いてＳ１の位置（図９）まで半開きにするだけで、リザーバタンク本体１８の液量点検を行うことができる。
（３）リザーバタンク本体１８の液量補充が必要な時にのみ、点検蓋２２の下端部Ｙ位置を外方へ引くだけのワンアクションで、リザーバタンク本体１８を車体の外方に突出させることが可能であり、これによって、液量の補充作業を容易に行うことができる。
【００３３】
次に図８及び図１１により、第４実施形態の説明をする。
図８は前記第３実施形態において前出の図、図１１は本発明による建設機械のリザーバタンクに係る第４実施形態を説明する図であり、図１１（Ａ）は同第４実施形態の下面図で図８のＱ３視図、図１１（Ｂ）は同第４実施形態の要部部分断面側面図で図１１（Ａ）のＭ４−Ｍ４断面図である。なお、図１〜図７及び図９〜図１０と同一の構成要素には同一の符号を付して以下での説明を省略する。
【００３４】
図８において、上部旋回体３の旋回フレーム６の外周を覆うフレームカバー７に切り欠き部７ａが設けられ、同切り欠き部７ａにリザーバタンク１０Ｄが配設されている。
図１１において、リザーバタンク１０Ｄは、可動ブラケット１１のガイド穴１１ｂに手締めボルト３４を挿通して、同手締めボルト３４とワッシャ３３で可動ブラケット１１を旋回フレーム６に固定可能とし、これによって、同手締めボルト３４を緩めて可動ブラケット１１を収納位置又は引出し位置Ｔへ回動させ、その位置で手締めボルト３４を締めて同可動ブラケット１１を固定するように構成されている。
【００３５】
図８及び図１１による上記構成において、可動ブラケット１１の収納位置又は引出し位置Ｔでの固定は手締めボルト３４のみで行うことが出来るから、前記第３実施形態におけるピン１５，１６とトグルバネ１７による固定手段に比較して、構造を単純にすることが可能であり、これによって、低コストで前記第３実施形態と同様の作用及び効果を得ることができる。
【００３６】
なお、上記構成は、例として前記第３実施形態におけるリザーバタンク１０Ｃに手締めボルト３４を適用した構成としているが、これに限ることなく、前記第１実施形態及び２実施形態における各リザーバタンク１０Ａ，１０Ｂにおいても同様にして適用可能であり、容易に類推できるとして説明を省略する。
【００３７】
次に図８及び図１２により、第５実施形態の説明をする。
図８は前記第３実施形態において前出の図、図１２は本発明による建設機械のリザーバタンクに係る第５実施形態を説明する図であり、図１２（Ａ）は同第５実施形態の下面図で図８のＱ３視図、図１２（Ｂ）は同第５実施形態の要部部分断面側面図で図１２（Ａ）のＭ５−Ｍ５断面図である。なお、図１〜図７及び図９〜図１１と同一の構成要素には同一の符号を付して以下での説明を省略する。
【００３８】
図８において、上部旋回体３の旋回フレーム６の外周を覆うフレームカバー７に切り欠き部７ａが設けられ、同切り欠き部７ａにリザーバタンク１０Ｅが配設されている。
図１２において、リザーバタンク１０Ｅは、可動ブラケット１１のボルト穴１１ｃとガイド穴１１ｂの夫々に手締めボルト３２，３４を挿通し、同手締めボルト３２，３４とワッシャ３３，３３で可動ブラケット１１を旋回フレーム６に取着して、これによって、手締めボルト３２，３４を緩めて可動ブラケット１１を収納位置又は引出し位置Ｔへ回動させ、その位置で手締めボルト３２，３４を緩めて同可動ブラケット１１を固定するように構成されている。
【００３９】
図８及び図１２による上記構成において、可動ブラケット１１の構造を極めて単純にすることができる。これによって、更に低いコストで前記第３実施形態と同様の作用及び効果を得ることができる。
【００４０】
なお、上記構成は、例として前記第３実施形態におけるリザーバタンク１０Ｃに手締めボルト３２，３４を適用した構成としているが、これに限ることなく、前記第１実施形態及び２実施形態における各リザーバタンク１０Ａ，１０Ｂにおいても同様にして適用可能であり、容易に類推できるとして説明を省略する。
【００４１】
次に図２及び図１３〜図１４により、第６実施形態の説明をする。
図２は前記第１実施形態において前出の図、図１３は本発明による建設機械のリザーバタンクに係る第６実施形態の下面図であり、図２のＱ１視図、図１４は同第６実施形態の要部部分断面側面図であり、図１３のＮ１−Ｎ１断面図である。なお、図１及び図３〜図１２と同一の構成要素には同一の符号を付して以下での説明を省略する。
【００４２】
図２において、開閉蓋８の内方にリザーバタンク４０Ａが配設されている。
図１３〜図１４において、リザーバタンク４０Ａは、可動ブラケット４１のガイド穴４１ｂに所定の間隔で２個のガイドブッシュ１３，１３を挿通し、同ガイドブッシュ１３，１３をボルト１４，１４で旋回フレーム６に取着し、これによって可動ブラケット４１が旋回フレーム６にスライド自在に取着されると共に、可動ブラケット４１が図示の収納位置から、２点鎖線で示す引出し位置Ｔまでの範囲でスライドするように略水平面内でスライド可能としたスライド範囲が設定され、更に、旋回フレーム６に取着されたピン１５と可動ブラケット４１に取着されたピン１６相互の間にトグルバネ１７が取着されており、これらによって、収納位置又は引出し位置の選択された位置で固定されるようになされた可動ブラケット４１に、リザーバタンク本体１８が帯鋼１９を介してネジ１９ａで取着されて構成されている。なお、可動ブラケット４１には引出し用の取っ手部４１ｄが配設されている。
【００４３】
図２及び図１３〜図１４による上記構成において、前記第１実施形態におけると全く同様の作用及び効果を得ることができる。
【００４４】
次に図５及び図１５〜図１６により、第７実施形態の説明をする。
図５は前記第２実施形態において前出の図、図１５は本発明による建設機械のリザーバタンクに係る第７実施形態の下面図であり、図５のＱ２視図、図１６は同第７実施形態の要部部分断面側面図であり、図１５のＮ２−Ｎ２断面図である。なお、図１〜図４及び図６〜図１４と同一の構成要素には同一の符号を付して以下での説明を省略する。
【００４５】
図５及び図１５〜図１６において、上部旋回体３の旋回フレーム６の外周を覆うフレームカバー７に切り欠き部７ａが設けられ、同切り欠き部７ａにリザーバタンク４０Ｂが配設されている。
リザーバタンク４０Ｂは可動ブラケット４１の前端部に、点検窓２１ｂを有するプレート２１を溶接２１ａによって取着して構成されており、同プレート２１の外表面はフレームカバー７の外表面に揃えられている。
【００４６】
図５及び図１５〜図１６による上記構成において、前記第２実施形態におけると全く同様の作用及び効果を得ることができる。
【００４７】
次に図８及び図１７〜図１８により、第８実施形態の説明をする。
図８は前記第３実施形態において前出の図、図１７は本発明による建設機械のリザーバタンクに係る第８実施形態の下面図であり、図８のＱ３視図、図１８は同第８実施形態の要部部分断面側面図であり、図１７のＮ３−Ｎ３断面図である。なお、図１〜図７及び図９〜図１６と同一の構成要素には同一の符号を付して以下での説明を省略する。
【００４８】
図８及び図１７〜図１８において、上部旋回体３の旋回フレーム６の外周を覆うフレームカバー７に切り欠き部７ａが設けられ、同切り欠き部７ａにリザーバタンク４０Ｃが配設されている。
リザーバタンク４０Ｃは、可動ブラケット４１の前端部に溶接２３ａで取着されたピン２３にトルクバネ２４と、プレート２２ａを介してボス２２ｂを取着した点検蓋２２の同ボス２２ｂとを夫々挿通し、ワッシャ２３ｂとナット２３ｃで係止して、これによって、可動ブラケット４１に点検蓋２２を開閉自在で且つ閉まり勝手に取着して構成されている。なお、同点検蓋２２の外表面はフレームカバー７の外表面に揃えられている。
【００４９】
図８及び図１７〜図１８による上記構成において、前記第３実施形態におけると全く同様の作用及び効果を得ることができる。
【００５０】
次に図８及び図１９により、第９実施形態の説明をする。
図８は前記第３実施形態において前出の図、図１９は本発明による建設機械のリザーバタンクに係る第９実施形態を説明する図であり、図１９（Ａ）は同第９実施形態の下面図で図８のＱ３視図、図１９（Ｂ）は同第９実施形態の要部部分断面側面図で図１９（Ａ）のＮ４−Ｎ４断面図である。なお、図１〜図７及び図９〜図１８と同一の構成要素には同一の符号を付して以下での説明を省略する。
【００５１】
図８及び図１９において、上部旋回体３の旋回フレーム６の外周を覆うフレームカバー７に切り欠き部７ａが設けられ、同切り欠き部７ａにリザーバタンク４０Ｄが配設されている。
リザーバタンク４０Ｄは、可動ブラケット４１をスライド自在に支承する２個のガイドブッシュ１３，４３の一方のガイドブッシュ４３が手締めボルト４４で旋回フレーム６に取着され、更に、ガイドブッシュ４３の円筒部４３ａの長さＨ１が可動ブラケット４１の厚みＨ２よりも短くなっており、これによって、同手締めボルト４４を緩めて可動ブラケット４１を収納位置又は引出し位置Ｔへスライドさせ、その位置で手締めボルト４４を締めて同可動ブラケット４１を固定するように構成されている。
【００５２】
図８及び図１９による上記構成において、可動ブラケット４１の収納位置又は引出し位置Ｔでの固定は手締めボルト４４のみで行うことが出来るから、前記第８実施形態におけるピン１５，１６とトグルバネ１７による固定手段に比較して、構造を単純にすることが可能であり、これによって、低コストで前記第８実施形態と同様の作用及び効果を得ることができる。
【００５３】
なお、上記構成において、２個のガイドブッシュ１３，４３を共にガイドブッシュ４３，４３として夫々を、図１９中に２点鎖線で示すように手締めボルト４４、４４で取着して良い。
なおまた、上記構成は、例として前記第８実施形態におけるリザーバタンク４０Ｃに手締めボルト４４を適用した構成としているが、これに限ることなく、前記第６実施形態及び７実施形態における各リザーバタンク４０Ａ，４０Ｂにおいても同様にして適用可能であり、容易に類推できるとして説明を省略する。
【００５４】
以上の結果によって、建設機械のリザーバタンクにおいて、簡便な液量点検作業と容易な液量補充作業及び自由な設置位置を実現する建設機械のリザーバタンクを提供することができる。
【００５５】
以上は油圧ショベルの窓ガラス用洗浄液のリザーバタンクを例にして、建設機械のリザーバタンクの実施形態について説明したが、油圧ショベルに限ることなく、また、窓ガラス用洗浄液のリザーバタンクに限ることなく、他の建設機械のブレーキ液、冷却液その他各種のリザーバタンクにおいても普遍的に、上記と同様に実施する事が可能であり、上記と同様の作用及び効果を得ることができる。
【図面の簡単な説明】
【図１】本発明による建設機械のリザーバタンクを適用した油圧ショベルの側面図である。
【図２】本発明による建設機械のリザーバタンクに係る第１実施形態の正面図であり、図１のＰ部詳細図である。
【図３】本発明による建設機械のリザーバタンクに係る第１実施形態の下面図であり、図２のＱ１視図である。
【図４】本発明による建設機械のリザーバタンクに係る第１実施形態の要部部分断面側面図であり、図３のＭ１−Ｍ１断面図である。
【図５】本発明による建設機械のリザーバタンクに係る第２実施形態の正面図であり、図１のＰ部詳細図である。
【図６】本発明による建設機械のリザーバタンクに係る第２実施形態の下面図であり、図５のＱ２視図である。
【図７】本発明による建設機械のリザーバタンクに係る第２実施形態の要部部分断面側面図であり、図６のＭ２−Ｍ２断面図である。
【図８】本発明による建設機械のリザーバタンクに係る第３実施形態の正面図であり、図１のＰ部詳細図である。
【図９】本発明による建設機械のリザーバタンクに係る第３実施形態の下面図であり、図８のＱ３視図である。
【図１０】本発明による建設機械のリザーバタンクに係る第３実施形態の要部部分断面側面図であり、図９のＭ３−Ｍ３断面図である。
【図１１】本発明による建設機械のリザーバタンクに係る第４実施形態を説明する図である。
【図１２】本発明による建設機械のリザーバタンクに係る第５実施形態を説明する図である。
【図１３】本発明による建設機械のリザーバタンクに係る第６実施形態の下面図であり、図２のＱ１視図である。
【図１４】本発明による建設機械のリザーバタンクに係る第６実施形態の要部部分断面側面図であり、図１３のＮ１−Ｎ１断面図である。
【図１５】本発明による建設機械のリザーバタンクに係る第７実施形態の下面図であり、図５のＱ２視図である。
【図１６】本発明による建設機械のリザーバタンクに係る第７実施形態の要部部分断面側面図であり、図１５のＮ２−Ｎ２断面図である。
【図１７】本発明による建設機械のリザーバタンクに係る第８実施形態の下面図であり、図８のＱ３視図である。
【図１８】本発明による建設機械のリザーバタンクに係る第８実施形態の要部部分断面側面図であり、図１７のＮ３−Ｎ３断面図である。
【図１９】本発明による建設機械のリザーバタンクに係る第９実施形態を説明する図である。
【図２０】従来技術による建設機械のリザーバタンクを適用した油圧ショベルの要部斜視図である。
【符号の説明】
１０Ａ…リザーバタンク、１０Ｂ…リザーバタンク、１０Ｃ…リザーバタンク、１０Ｄ…リザーバタンク、１０Ｅ…リザーバタンク、１１…可動ブラケット、１１ｂ…ガイド穴、１３…ガイドブッシュ、１７…トグルバネ、１８…リザーバタンク本体、１８ａ…キャップ、２１ａ…点検窓、２２…点検蓋、３２…手締めボルト、３４…手締めボルト、４０Ａ…リザーバタンク、４０Ｂ…リザーバタンク、４０Ｃ…リザーバタンク、４０Ｄ…リザーバタンク、４１…可動ブラケット、４１ｂ…ガイド穴、４３…ガイドブッシュ、４４…手締めボルト。
【図１】
2004190231.tif 000003
【図２】
2004190231.tif 000004
【図３】
2004190231.tif 000005
【図４】
2004190231.tif 000006
【図５】
2004190231.tif 000007
【図６】
2004190231.tif 000008
【図７】
2004190231.tif 000009
【図８】
2004190231.tif 000010
【図９】
2004190231.tif 000011
【図１０】
2004190231.tif 000012
【図１１】
2004190231.tif 000013
【図１２】
2004190231.tif 000014
【図１３】
2004190231.tif 000015
【図１４】
2004190231.tif 000016
【図１５】
2004190231.tif 000017
【図１６】
2004190231.tif 000018
【図１７】
2004190231.tif 000019
【図１８】
2004190231.tif 000020
【図１９】
2004190231.tif 000021
【図２０】
2004190231.tif 000022